(57)【要約】【課題】枕の両側部が中央部より高くても、より円滑な寝返りを可能にし、また、詰め物量を加減することなく、両側部高さと独立に中央部高さを、簡単な操作で連続的に調整可能にする。【解決手段】枕下側部１１、１２の上に、クッション性を有する枕上部１３が横たわって配置され、枕上部１３の両側部に取り付けられたゴム紐１４０、１４１で枕下側部１１、１２が枕上部１３に取着され、その取着位置で枕下側部１１、１２間の距離が調整されて、横臥状態での枕中央部高さが定まる。枕下側部１１、１２は、枕に頭を載せない自由状態で対向側端部底面の高さが、枕の長手方向中央部に向かうほど連続的に高くなっている。【選択図】図１０
2015134146.tif 000002
【特許請求の範囲】
【請求項１】
第１及び第２の枕下側部と、
該第１及び第２の枕下側部の上に横たわって配置され、少なくとも長手方向両側部がクッション性を有する枕上部と、
該第１の枕下側部と該第２の枕下側部との間隔を制限する間隔制限手段と、
を有し、該第１及び第２の枕下側部はそれぞれ、自由状態で対向側端部底面の高さが枕の長手方向中央部に向かうほど連続的又はステップ状に高くなっていて、該中央部に後頭部を載置した仰臥状態で該第１及び第２の枕下側部の上面が対向側に傾斜していることを特徴とする枕。
【請求項２】
該第１及び第２の枕下側部はそれぞれさらに、自由状態で対向側端部上面の高さが枕の長手方向中央部に向かうほど連続的又はステップ状に低くなっていることを特徴とする請求項１に記載の枕。
【請求項３】
該間隔制限手段は、該間隔を調整自在に制限する間隔調整手段であり、
該間隔の調整により、該後頭部の高さが調整されることを特徴とする請求項１又は２に記載の枕。  
【請求項４】
該間隔制限手段は、該第１の枕下側部と該第２の枕下側部とを連結する紐又は面ファスナーを有することを特徴とする請求項１乃至３のいずれか１つに記載の枕。
【請求項５】
該第１及び第２の枕下側部と該枕上部とが収容された枕ケースをさらに有し、該間隔制限手段は、
該枕ケース中央部側面に形成された孔と、
該第１及び第２の枕下側部にそれぞれ取り付けられた第１及び第２のリングと、
コードストッパーと、
該紐と、
を有し、該紐は、該第１のリング及び該第２のリングに通され両端部が該孔を介し該コードストッパーに通され、該コードストッパーから出た該両端部の長さを調節することにより、該間隔調整が行われることを特徴とする請求項４に記載の枕。
【請求項６】
該第１及び第２の枕下側部と該枕上部とが収容された布製枕ケースをさらに有し、
該間隔制限手段は、該枕ケースの長手方向の長さを短縮する手段であることを特徴とする請求項１乃至３のいずれか１つに記載の枕。
【請求項７】
該枕ケースの長手方向の長さを短縮する手段は、該枕ケースの長手方向の互いに異なる位置の間を結ぶ紐又は面ファスナーを、該枕ケースの長手方向の対向側面のそれぞれに備えていることを特徴とする請求項６に記載の枕。
【請求項８】
該間隔制限手段は、該第１及び第２の枕下側部のそれぞれを該枕上部に取り付ける紐又はファスナーを有することを特徴とする請求項１乃至３のいずれか１つに記載の枕。
【請求項９】
該枕上部は、軟質発泡プラスチックシートと、該軟質発泡プラスチックシートの上に重ねられ粒状物が布袋に入れられた粒状物シートとを有することを特徴とする請求項１乃至８のいずれか１つに記載の枕。
【請求項１０】
該軟質発泡プラスチックシートは、
布袋と、
該布袋の長手方向両側にそれぞれ挿入された第１及び第２の軟質発泡プラスチックサブ
シートと、
該第１及び第２の軟質発泡プラスチックサブシートの間に挿抜自在に挿入された第３の軟質発泡プラスチックサブシートと、
を有することを特徴とする請求項９に記載の枕。
【発明の詳細な説明】
【技術分野】
【０００１】
本発明は、睡眠用枕に係り、特に、長手方向の中央部高さが両側部高さより低い枕に関する。
【背景技術】
【０００２】
枕の高さが体格に合っていないと、頸椎やその筋肉に無理な応力が加わり、神経の信号、髄液及び血液の流れが悪化して健康を害する原因となる。
【０００３】
一般に、人の後頭部と背中の段差は、後頭部側面と胸部側面との段差よりも小さいので、特許文献１の枕では、その長手方向の中央部高さを両側部高さよりも低くして、仰臥姿勢及び横臥姿勢で首部筋肉の負荷が小さくなるようにしている。このような枕では、中央部と側部との段差が大きくなると、寝返り時に頸部への負荷も大きくなって、円滑な寝返りが妨げられる原因となる。
【０００４】
特許文献２の枕では、縦断面Ｕ字形の枕本体を備え、その底部厚みを仰臥状態での最適高さに等しくし、その両側部のそれぞれの厚みを横臥状態での最適高さに等しくすることにより、寝返りを容易にするとともに枕高さを寝姿によらず最適にしている。しかし、縦断面Ｕ字形の枕本体の最適形状は、個々人で異なるため、体格を測定して一品ずつ注文生産にする必要があり、高価になる。
【０００５】
一方、横臥時枕高さは、寝姿を脊椎の高さで横から見て、頸椎と胸椎のラインが一直線になることが好ましく、ストレートネックや猫背であるか否かに依存しない。これに対し、仰臥時枕高さは、首部の靱帯や筋肉に無理な負荷がかかるのを避けるため、ストレートネックや猫背の程度に応じて変えた方が好ましい。
【０００６】
現代社会では、前屈みの状態で、パソコン、携帯電話又はゲーム機の画面を見たり、本を読んだり、車の運転をしたりすることが多いことから、ストレートネックや猫背になっている人が比較的多く、不健康の一因になっている。このような人が正しい立姿勢をとろうとすると逆に、頸椎の関節を構成する靱帯やその付近の筋肉に大きな負荷がかかる。ストレートネックを矯正するため、頻繁に正しい姿勢をとるように努力しても、頸椎骨への靱帯の取り付け状態を正常に変更するのに、２〜３週間はかかると言われている。１日の約１／３が睡眠時間であるので、起きているときに定期的に正しい立姿勢をとるようにし、これに合わせて、枕の中央部高さを少しずつ変えることができれば、姿勢矯正期間を短縮できる。
【０００７】
特許文献３の枕では、詰め物を出し入れすることにより、枕高さを連続的に変更することができる。しかし、詰め物を出し入れ操作が煩雑であるとともに、追加の詰め物を別途用意しておく必要がある。
【０００８】
また、特許文献４の枕では、２分割した枕の両部分の対向面一端部を紐で結ぶとともに他端部を繋いで、開きを形成し、この開きを叩くか開けることにより、仰臥時高さを調整可能にしている。しかし、この高さの調整範囲は両者のそれぞれの中央部高さから少し低くする程度であり、比較的低い範囲で枕中央部高さを調整することができない。該両部分のそれぞれの周部に上下にわたって掛けられた紐を引き締め又は緩めて、該両部分のそれぞれの中央部高さ（横臥時高さ）を調整するとともに前記調整を行えば、仰臥時高さ調整範囲を広げられるが、両調整を独立に行うことができない。
【０００９】
その他、枕の中央部と側部の高さを同一にし、寝姿勢を圧力センサで検出し、エアー式又はモータ式のアクチュエータで枕高さを制御することにより、枕高さを連続的変更する構成のものも特許公開公報に開示されているが、これらはいずれも構成が複雑になるとともに高価になる。
【先行技術文献】
【特許文献】
【００１０】
【特許文献１】特開平８−５０６６４１号公報
【特許文献２】特開２０１１−１０８９９号公報
【特許文献３】特開２００５−３１２６１４号公報
【特許文献４】特開２００２−１１９４０３号公報
【発明の概要】
【発明が解決しようとする課題】
【００１１】
本発明の目的は、上記のような問題点に鑑み、枕の両側部が中央部より高くても、より円滑な寝返りを可能にする枕を提供することにある。
【００１２】
本発明の他の目的はさらに、アクチュエータを用いたり詰め物量を加減することなく、枕両側部高さを一定にした状態で簡単な操作により、連続的に枕中央部高さを調整可能にする枕を提供することにある。
【課題を解決するための手段】
【００１３】
本発明の第１態様では、第１及び第２の枕下側部と、該第１及び第２の枕下側部の上に横たわって配置され、少なくとも長手方向両側部がクッション性を有する枕上部と、該第１の枕下側部と該第２の枕下側部との間隔を制限する間隔制限手段とを有している。
【００１４】
該第１及び第２の枕下側部はそれぞれ、自由状態で対向側端部底面の高さが枕の長手方向中央部に向かうほど連続的又はステップ状に高くなっていて、該中央部に後頭部を載置した仰臥状態で該第１及び第２の枕下側部の上面が対向側に傾斜している。
【００１５】
本発明による枕の第２態様では、第１態様において、該第１及び第２の枕下側部はそれぞれさらに、自由状態で対向側端部上面の高さが枕の長手方向中央部に向かうほど連続的又はステップ状に低くなっている。
【００１６】
本発明による枕の第３態様では、第１又は２態様において、該間隔制限手段は、該間隔を調整自在に制限する間隔調整手段であり、該間隔の調整により、該後頭部の高さが調整される。
【００１７】
本発明による枕の第４態様では、第１乃至３態様のいずれか１つにおいて、該間隔制限手段は、該第１の枕下側部と該第２の枕下側部とを連結する紐又は面ファスナーを有する。
【００１８】
本発明による枕の第５態様では、第４態様において、該第１及び第２の枕下側部と該枕上部とが収容された枕ケースをさらに有し、該間隔制限手段は、該枕ケース中央部側面に形成された孔と、該第１及び第２の枕下側部にそれぞれ取り付けられた第１及び第２のリングと、コードストッパーと、該紐とを有する。
【００１９】
該紐は、該第１のリング及び該第２のリングに通され両端部が該孔を介し該コードストッパーに通され、該コードストッパーから出た該両端部の長さを調節することにより、該間隔調整が行われる。
【００２０】
本発明による枕の第６態様では、布製枕ケースの長手方向の長さを短縮する手段である。
【００２１】
本発明による枕の第７態様では、第６態様において、該枕ケースの長手方向の長さを短縮する手段は、該枕ケースの長手方向の互いに異なる位置の間を結ぶ紐又は面ファスナーを、該枕ケースの長手方向の対向側面のそれぞれに備えている。
【００２２】
本発明による枕の第８態様では、第１乃至３態様のいずれか１つにおいて、該間隔制限手段は、該第１及び第２の枕下側部のそれぞれを該枕上部に取り付ける紐又はファスナーを有する。該紐は、ゴム紐出会ってもよい。
【００２３】
本発明による枕の第９態様では、第１乃至８態様のいずれか１つにおいて、該枕上部は、軟質発泡プラスチックシートと、該軟質発泡プラスチックシートの上に重ねられ粒状物が布袋に入れられた粒状物シートとを有する。
【００２４】
本発明による枕の第１０態様では、第９態様において、該軟質発泡プラスチックシートは、布袋と、該布袋の長手方向両側にそれぞれ挿入された第１及び第２の軟質発泡プラスチックサブシートと、該第１及び第２の軟質発泡プラスチックサブシートの間に挿抜自在に挿入された第３の軟質発泡プラスチックサブシートとを有する。
【発明の効果】
【００２５】
上記第１態様の構成によれば、仰臥姿勢から横転して横臥姿勢に移る際、枕下側部の上記底面形状により、該枕下側部も該横転に追従して回転し、この際、例えば図７（Ｂ）に示すように、該枕下側部と枕上部の横転側部分からなる枕側部に対し押圧しながら該枕側部から頭が持ち上げられて回転するので、この回転がない枕よりも寝返りし易くなるという効果を奏する。
【００２６】
上記第２態様の構成によれば、該枕下側部の上記対向側端部上面形状により、例えば図２４（Ｂ）に示すように、上記仰臥状態での枕側部傾斜角を低減することができるという効果を奏する。
【００２７】
上記第３態様の構成によれば、一対の枕下側部の間隔が調整自在であることと、該一対の枕下側部の上に枕上部が横たわって配置されていることと、上記底面形状と、上記追従回転により頭回転停止状態では該一対の枕下側部も停止していることとから、枕側部高さと独立に、該間隔の調整の程度に応じて、仰臥状態での枕中央部高さを連続的に調整することができるという効果を奏する。
【００２８】
上記第４態様の構成によれば、該一対の枕下側部間を紐又は面ファスナーで連結しているので、該紐又は面ファスナーの連結長さを調整することにより、仰臥状態での枕中央部高さを調整することができるという効果を奏する。
【００２９】
上記第５態様の構成によれば、枕ケースの外側に引き出された紐の長さをコードストッパーで調整するという容易な操作で、仰臥状態での枕中央部高さを調整することができるという効果を奏する。
【００３０】
上記第６態様の構成によれば、枕ケースの長手方向の長さを変化させることにより、仰臥状態での枕中央部高さを調整することができるという効果を奏する。
【００３１】
上記第７態様の構成によれば、該枕ケースの長手方向の互いに異なる位置の間を結ぶ紐
又は面ファスナーの長さを変えることにより、仰臥状態での枕中央部高さを調整することができるという効果を奏する。
【００３２】
上記第８態様の構成によれば、紐又はファスナーで枕下側部を枕上部に取り付ける位置により、仰臥状態での枕中央部高さを調整することができるという効果を奏する。
【００３３】
上記第９態様の構成によれば、該枕上部が、軟質発泡プラスチックシートの上に粒状物シートが重ねられているので、頭部移動により枕下側部が傾斜する毎に、枕長手方向に関し、粒状物がその堆積状態をリセットするように移動し、次いで頭部で粒状物が押されて頭部と軟質発泡プラスチックシートの間の隙間を埋めるよう粒状物が移動するので、該枕上部から頭部が受ける応力分布が略均一化され、これにより頭部が受ける応力を低減できるという効果を奏する。
【００３４】
上記第１０態様の構成によれば、該軟質発泡プラスチックシートの中央部のサブシートが挿抜自在であるので、仰臥状態での枕高さをより低く調整できるという効果を奏する。
【００３５】
本発明の他の目的、特徴的な構成及び効果は、以下の説明を特許請求の範囲及び図面の記載と関係づけて読むことにより明らかになる。 
【図面の簡単な説明】
【００３６】
【図１】（Ａ）は本発明の実施例１の枕の斜視図であり、（Ｂ）は（Ａ）の枕を、その上面の中心の法線の回りに１８０°回転したときの斜視図である。
【図２】図１中の枕本体の分解斜視図である。
【図３】図１中の枕下側部の分解斜視図である。
【図４】（Ａ）は図１（Ａ）の状態から枕下側部間距離を短くした場合の枕の斜視図であり、（Ｂ）は（Ａ）の枕を、その上面の中心の法線の回りに１８０°回転したときの斜視図である。
【図５】（Ａ）は人体頭部との関係で示す枕の概略正面図、（Ｂ）は仰臥状態での枕の概略正面図、（Ｃ）は（Ｂ）中の枕側部に働く力の概略を示す説明図である。
【図６】（Ａ）〜（Ｃ）は仰臥状態から横臥状態への変化を説明する概略正面図である。
【図７】（Ａ）及び（Ｂ）は寝返り容易性を説明する概略正面図である。
【図８】（Ａ）及び（Ｂ）は仰臥状態での枕高さを変えずに一対の枕下側部の間隔を広げた場合を示す概略正面図である。
【図９】（Ａ）は、図５（Ｂ）を一点鎖線で表し、図６（Ｂ）を二点鎖線で表し、図６（Ｃ）を実線で表して、これらを重ね書きしたものを示す概略正面図であり、（Ｂ）はこれに静止状態の仮想枕を太線で表した概略正面図である。
【図１０】（Ａ）〜（Ｄ）は仰臥状態での枕高さを変えた状態を示す概略正面図である。
【図１１】（Ａ）及び（Ｂ）はそれぞれ、図１０（Ｂ）及び（Ｃ）に対応した仮想枕を点線及び２点鎖線の太線で示す概略正面図、（Ｃ）は図９（Ｂ）並びに本図（Ａ）及び（Ｂ）中の仮想枕を重ねて示す概略正面図である。
【図１２】（Ａ）は本発明の実施例２の枕の斜視図であり、（Ｂ）は（Ａ）の枕を、図示Ｚ軸の回りに１８０°回転したときの斜視図である。
【図１３】図１２（Ａ）の状態から枕下側部間距離を短くした場合の枕の斜視図である。
【図１４】（Ａ）は一対の枕中央部高さ調整用紐の引き出し長さを互いに異ならせた場合の枕の斜視図であり、（Ｂ）は（Ａ）の枕を、その上面の中心の法線の回りに１８０°回転したときの斜視図である。
【図１５】（Ａ）は本発明の実施例３の枕の斜視図であり、（Ｂ）は（Ａ）の枕を図示Ｚ軸の回りに１８０°回転したときの斜視図である。
【図１６】（Ａ）は図１５（Ａ）の状態から枕下側部間距離を短くした場合の枕の斜視図であり、（Ｂ）は、（Ａ）の枕を、その上面の中心の法線の回りに１８０°回転したときの斜視図である。
【図１７】（Ａ）は本発明の実施例４の枕の斜視図であり、（Ｂ）は（Ａ）の枕を、その上面の中心の法線の回りに１８０°回転したときの斜視図である。
【図１８】（Ａ）は本発明の実施例５の枕の斜視図であり、（Ｂ）は（Ａ）の枕を、その上面の中心の法線の回りに１８０°回転したときの斜視図である。
【図１９】図１８（Ａ）中の枕本体の分解斜視図である。
【図２０】（Ａ）は図１８（Ａ）の状態から枕下側部間距離を短くした場合の枕の斜視図であり、（Ｂ）は、（Ａ）の枕を、その上面の中心の法線の回りに１８０°回転したときの斜視図である。
【図２１】本発明の実施例６の枕を人体との関係で示す概略正面図である。
【図２２】図２１中の枕下側部の分解斜視図である。
【図２３】（Ａ）〜（Ｄ）はそれぞれ図１０（Ａ）〜（Ｄ）に対応した概略正面図である。
【図２４】（Ｂ）本発明の実施例７の枕本体を示す概略正面図、（Ｂ）は（Ａ）の枕の仰臥状態を図５（Ｂ）中の枕本体（２点鎖線）と重ねて示す概略正面図である。
【図２５】（Ａ）〜（Ｃ）は図２４の枕を横転中の人体とともに示す概略正面図である。
【図２６】（Ａ）〜（Ｃ）は、図１０と同様にして枕中央部高さを変えた場合を示す概略正面図である。
【図２７】図２４（Ａ）中の枕下側部の分解斜視図である。
【図２８】（Ａ）は本発明の実施例８の枕の斜視図であり、（Ｂ）は（Ａ）の枕を、その上面の中心の法線の回りに１８０°回転したときの斜視図である。
【図２９】（Ａ）及び（Ｂ）は図２８中の枕上部を構成する軟質発泡プラスチックシートの概略縦断面図、（Ｃ）は図２８の枕の仰臥状態概略正面図、（Ｄ）は（Ａ）の変形例を示す概略縦断面図である。
【実施例１】
【００３７】
図１（Ａ）は、本発明の実施例１の枕１０の斜視図であり、図１（Ｂ）は、図１（Ａ）の枕１０を、その上面の中心の法線（図示Ｚ軸）の回りに１８０°回転したときの斜視図である。図２は、図１の枕１０の本体の分解斜視図である。図３は、図１中の枕下側部１１の分解斜視図である。
【００３８】
枕１０は、該法線を含み枕長手方向に垂直な面（ＹＺ面）に関し、対称形である。枕１０の本体は、枕下側部１１及び１２が枕１０の長手方向（Ｘ方向）両側部に対向して配置され、枕下側部１１及び１２の上に枕上部１３が横たわって配置されている。該枕本体は、２点鎖線で示す布製のケース１６内に収容されている。ケース１６は、その周部に逢着された不図示の線ファスナーなどで開閉される。
【００３９】
枕上部１３は、軟質発泡プラスチックシート１４の上に粒状物シート１５が重ねられている。
【００４０】
軟質発泡プラスチックシート１４は、クッション用であり、その本体が布袋に収容されている。この本体は、例えば幅５４０ｍｍ、奥域２００ｍｍ、厚さ３０ｍｍ、連続気泡体の高反発又は低反発の通常のクッション用軟質ポリウレタンフォームである。
【００４１】
軟質発泡プラスチックシート１４の下面の長手方向両側には、枕下側部１１と枕下側部１２との間隔を調整する間隔調整手段としてのゴム紐１４０及び１４１の両端が、軟質発
泡プラスチックシート１４の奥域方向端部に逢着され、ゴム紐１４０及び１４１にそれぞれ枕下側部１１及び１２が挿着される。軟質発泡プラスチックシート１４の上記布袋の長手方向一端面の奥域方向（Ｙ方向）一端部には、布紐リングである支持片１４２の一端が逢着されている。該奥域方向他端部及び軟質発泡プラスチックシート１４の該布袋の長手方向他端面についても前記と同様である。
【００４２】
粒状物シート１５は、軟質発泡プラスチックシート１４と頭部の間の隙間を埋めて頭部の受ける応力をより均一化するためのものであり、布袋内が仕切り１５０〜１５２で仕切られてセグメント１５３〜１５６が形成され、セグメント１５３〜１５５のそれぞれに粒状物が封入されている。粒状物は、例えば発泡倍率５０倍、独立気泡体で直径約１ｍｍの発泡スチロールビーズである。セグメント１５３〜１５５のそれぞれの粒状物封入量は例えば、高さを均一にした場合に高さが１０ｍｍ程度になる量である。この量が比較的少ないことから、セグメント１５３〜１５５の仕切りは縫い糸のみで形成してもよい。セグメント１５６は、頸椎への圧迫を避けるための領域であって、これには何も封入されず、切除した領域であってもよい。
【００４３】
セグメント１５３及び１５５の幅はそれぞれ、例えば１７５ｍｍ及び１９０ｍｍである。セグメント１５３、１５５及び１５６の奥域はそれぞれ、例えば２００ｍｍ、１７０ｍｍ及び３０ｍｍである。
【００４４】
粒状物シート１５の長手方向一端の奥域方向一端部には、布紐リングの支持片１５７の一端が逢着され、支持片１５７と支持片１４２とが、開閉及び閉止可能なカードリング１５８で鎖状に連結されている。該奥域方向他端部及び粒状物シート１５の長手方向他端についても前記と同様である。
【００４５】
枕下側部１１は、図３に示すように、カバー１１０の周面に線ファスナー１１１が逢着され、カバー１１０内の前方側に、仕切り布１１２０及び１１２１の両側端部が逢着されて、３つの収容棚が形成され、仕切り布１１２０の下側にブロック１１４の先端部が収容され、ユーザの横臥姿勢での頭部側面高さに応じて選択的に、シート１１５０又は／及びシート１１５１の先端部がそれぞれ仕切り布１１２０と１１２１との間及び仕切り布１１２１の上側に収容される。カバー１１０は、布製又は厚み３ｍｍ程度の軟質ウレタンフォームを芯材としその両面に布を被着したクッション性のものである。
【００４６】
ブロック１１４、シート１１５０及び１１５１は例えば、独立気泡体の発泡スチロール又は発泡ポリエチレンで形成される。シート１１５０及び１１５１のサイズは例えば、２００ｍｍＸ２００ｍｍＸ１０ｍｍである。ブロック１１４は例えば、２００ｍｍＸ２００ｍｍＸ４５ｍｍの矩形ブロックの一端側下部を、ニクロム線カッターを備えたＮＣ加工機で溶融切除したものであり、その切除面の高さは、すなわちブロック１１４の自由状態での一端側底面の高さｈ（図５（Ａ）参照）は、この一端側に向かうほど連続的に大きくなっている。この切除面は  例えば、底面１１４ａに対し４５°傾斜した傾斜面１１４ｂと、底面１１４ａと傾斜面１１４ｂの間に位置し縦断面が中心角４５°、半径２５ｍｍの扇形の曲面１１４ｃとからなり、曲面１１４ｃがその両側の底面１１４ａと傾斜面１１４ｂとに滑らかに連なっている。前面１１４ｅは切除されずに残された面であり、その高さは例えば１０ｍｍである。
【００４７】
図１（Ａ）及び（Ｂ）は、図３のシート１１５０及び１１５１を用いずに仕切り布１１２０の上側空間をゴム紐１４０による締め付けで縮めた場合を示している。
【００４８】
図４（Ａ）の枕１０は、図１（Ａ）の状態から枕下側部１１と１２とを対向側に所定等距離だけ移動させて、それぞれゴム紐１４０及び１４１で枕上部１３に取着した状態を示
している。図４（Ｂ）は、図４（Ａ）の枕１０を、その上面の中心の法線の回りに１８０°回転したときの斜視図である。
【００４９】
次に、以上のように構成された枕１０の作用を説明する。
【００５０】
図５（Ａ）は、マットレス又は布団などの寝床Ｓ上に載置された枕１０（ケース１６は図示省略、以下同様）の概略正面図を、人体頭部との関係で示す。
【００５１】
頭部Ｈを枕上部１３の長手方向中央部に載置させると、図５（Ｂ）に示すような仰臥状態となる。この際、枕上部１３の中央部が下方へ押し下げられると共に、枕上部１３を介し枕下側部１１及び１２に、頭部Ｈ側への回転モーメントが加わって、枕下側部１１及び１２の上面が対向側に回転して傾斜する。
【００５２】
この対向傾斜と、枕上部１３の存在により、後頭部を支える滑らかなカーブの凹部が形成されるので、後頭部に加わる応力が分散されて、睡眠中の頭部血行が改善される。特に、枕上部１３が、軟質発泡プラスチックシート１４の上に粒状物シート１５を重ねて構成されていることから、前記対向傾斜する際に、セグメント１５５内の粒状物が、軟質発泡プラスチックシート１４の凹部底面側に移動してその堆積状態がリセットされ、次いで粒状物が後頭部で押圧されて、後頭部と軟質発泡プラスチックシート１４の凹部の間の隙間に粒状物が移動し、後頭部に加わる応力が均一化へと変化することになる。セグメント１５３及び１５４内の粒状物については、前記傾斜により、堆積状態が傾斜面下方側にリセットされる。上記仕切り１５０及び１５１は、このリセットでセグメント１５５側へ多量の粒状物が移動して偏在するのを避けるためのものである。
【００５３】
粒状物が多すぎると、該凹部で粒状物が逃げ場を失い、後頭部の側部が押圧されて逆効果になる。この逆効果が生じない粒状物の最大量は、粒状物の逃げ場に影響する。この逃げ場は、セグメント１５５の幅及び奥域のサイズ、凹部形状などに影響される。この凹部形状は上記対向傾斜の角度、軟質発泡プラスチックシート１４の弾性係数及び厚みに依存する。粒状物の移動し易さは、粒状物の粒径や摩擦係数、上記傾斜角、粒状物が入れられる布袋の緊張の程度などに依存する。
【００５４】
上記具体例の場合、上記粒状物移動による隙間埋め効果が得られ、上記逆効果は無かった。
【００５５】
図５（Ｂ）では、頭部Ｈの枕上部１３に対する押圧力を、中央部に対する押圧力Ｆ０と、一対の側部に対する押圧力Ｆ１及びＦ２とに分けて示す。図５（Ｃ）は、図５（Ｂ）中の一方の枕側部に働く力の概略を示す。
【００５６】
図５（Ｃ）中の記号の定義は、次の通りである。
【００５７】
Ｒ：寝床Ｓから枕下側部１２への垂直抗力
Ｇ：枕下側部１２の重心に働く重力
Ｆ２：頭部Ｈから枕上部１３への押圧力
Ｔ：枕上部１３に想定した切断面に働いている内部張力
Ｆｒ：静止摩擦力
枕側部の釣り合いは、これら抗力Ｒ、重力Ｇ、押圧力Ｆ２、張力Ｔ及び静止摩擦力Ｆｒの合力及び回転モーメントが共にゼロになることで成立する。すなわち、押圧力Ｆ２と張力Ｔの垂直成分と、重力Ｇの大きさとの和が、抗力Ｒの大きさに等しく、張力Ｔの水平成分と静止摩擦力Ｆｒとの和が、押圧力Ｆ２の水平成分に等しくなる。重力Ｇ及び張力Ｔは比較的小さく、また、静止摩擦力Ｆｒ及び抗力Ｒの当接境界線ＢＬ２の回りの回転モーメ
ントが０であるので、当接境界線ＢＬ２の回りの回転モーメントが０になる釣り合い条件から、押圧力Ｆ２は図５（Ｃ）において当接境界線ＢＬの近くを通ると考えられる。この点は、以下の横転時においても同様である。
【００５８】
図５（Ｂ）の仰臥状態から時計回りに横転すると、図６（Ａ）、（Ｂ）の状態を経て（Ｃ）の横臥状態となる。この際、枕上部１３の中央部が上昇して、セグメント１５５内の粒状物堆積状態が均一化側にリセットされる。また、セグメント１５４内の粒状物が頭部Ｈで枕外側に押圧されながら、頭部Ｈの側面と軟質発泡プラスチックシート１４との間の隙間のある方向に移動し、主に顎側の隙間を埋め、余分な粒状物は、頭部Ｈ側面で押圧されない周辺部へ移動する。これにより、頭部Ｈの側面についても、応力分布がより均一化される。また、顎側が低くなって頸椎が床面Ｓに対し傾斜するのが防止される。
【００５９】
図６（Ｂ）では、頭部Ｈの重心が、枕下側部１２の下面の寝床Ｓとの当接境界線ＢＬ２より右側に存在するので、枕下側部１２が水平になった状態で安定して頭部Ｈを枕上部１３上で回転させることができる。また、この状態から図６（Ｃ）の横臥状態までの横転動作においては、首部への無理な負荷が殆ど無視できると考えられる。
【００６０】
したがって、図５（Ｂ）の状態から図６（Ｂ）までの状態における動作がスムーズに行われるか否かが問題となる。これを、図７（Ａ）及び（Ｂ）を参照して考察する。
【００６１】
図７（Ａ）は、図６（Ａ）中の押圧力Ｆ２とその反力−Ｆ２を、異なる観点から表示したものである。図６（Ａ）中の押圧力Ｆ２は、頭部Ｈと枕上部１３との枕下側部１２側の接触面に働く連続した応力分布の合力であり、図７（Ａ）ではこの接触面を、当接境界線ＢＬ２を通りほぼ押圧力Ｆ２を通る面ＰＬで２分割し、分割された接触面のそれぞれに働く合力Ｆ２／２に分けている。この反作用の合力についても同様に２つの合力−Ｆ２／２に分けている。
【００６２】
図７（Ｂ）は説明上、これら作用と反作用のそれぞれの一方を示している。この図７（Ｂ）は、頭部Ｈが面ＰＬの右側の枕上部１３を力Ｆ２／２で押圧することで、頭部Ｈが面ＰＬの左側の枕上部１３から力−Ｆ２／２で押し上げられていることを示しており、あたかも自分の頭部Ｈでてこを操作しながら自分の頭部Ｈを押し上げている。
【００６３】
実際には、図７（Ａ）に示すように、頭部Ｈは枕側部に対し、一方の押圧力Ｆ２／２による右回りの回転モーメントを与えるとともに他方の押圧力Ｆ２／２による左回りの回転モーメントを与えているので、頭部Ｈをゆっくり右回転させると、枕側部も同じ速度で追従してゆっくり右回転し、途中で頭部Ｈの回転を停止すると枕側部も停止し、逆回転させても同様に追従する。したがって、例えば図５（Ｂ）の状態で枕下側部１２の傾斜角が４５°であるとき、横転して頭部Ｈを４５°回転させると、枕下側部１２も同様に追従回転し、枕下側部１２の底面平行部が寝床Ｓに当接して、図６（Ｂ）の状態になる。この４５°は、図３について説明した曲面１１４ｃの中心角４５°に等しく、この中心角を３０°にすれば該傾斜角も３０°になる。
【００６４】
従来の回転しない枕でも、瞬間毎に図７（Ｂ）のように２分割して説明できるものの、枕側の回転動作が無いので、枕による頭部Ｈの持ち上げ回転動作が無い。これに対し、本実施例１の枕１０は、この持ち上げ回転動作（枕１０の頭部Ｈに対する仕事）があるので、寝返りが容易になるという効果を奏する。
【００６５】
但し、図６（Ｃ）に示す頭部Ｈの重心ＧＨが当接境界線ＢＬ２の左側に存在すれば、寝返りしても戻されるので、頭部Ｈの重心ＧＨが当接境界線ＢＬ２の右側（図中の距離Ｄが正）に存在するという条件を満たす必要がある。この条件は、頭部Ｈのサイズ、枕下側部
１１、１２の相互間隔、枕下側部１１、１２の高さ、枕上部１３の厚みなどに依存する。
【００６６】
図８（Ａ）及び（Ｂ）に示すように、該条件の下で、仰臥状態での枕高さを変えずに、ユーザの好みにより、枕下側部１１と１２との間隔を広げて、枕下側部１１及び１２の寝床Ｓに対する傾斜角θを小さくすることもできる。傾斜角θは、枕下側部１１と１２との間隔のみならず、枕下側部１１及び１２の対向面の下部形状、枕下側部１１、１２の高さ、頭部Ｈの形状などに依存する。
【００６７】
図９（Ａ）は、横転時の動作を全体的視覚的に把握しやすいように描いたものであって、図５（Ｂ）を一点鎖線で表し、図６（Ｂ）を二点鎖線で表し、図６（Ｃ）を実線で表して、これらを重ね書きしたものである。図９（Ｂ）は、図９（Ａ）に、横転時の頭部Ｈの枕上部１３に対する接触面局部を接平面とする曲面の縦断面を太線で示した仮想枕２０であり、上記寝返りのし易さを除けば、クッション圧縮後の枕形状は、この仮想枕２０に相当している。
【００６８】
図６（Ｃ）の横臥状態から逆回りに横転して図５（Ｂ）の仰臥状態へ移るとき、枕上部１３の中央部が押下されて、枕下側部１１が時計回りの回転モーメントを受け、枕下側部枕上部１３が反時計回りの回転モーメントを受け、枕下側部１１及び１２の上面が対向側に傾斜し、枕上部１３に凹部が形成され、頭部Ｈがこの凹部で支持されて、仰臥状態となる。この傾斜及び凹部への頭部Ｈの移動の際にも、上述のように、セグメント１５３及び１５４内の粒状物堆積状態が枕長手方向内側にリセットされ、セグメント１５５内の粒状物堆積状態が枕長手方向中央側にリセットされた後に、頭部Ｈの後頭部と軟質発泡プラスチックシート１４との間の隙間に移動する。
【００６９】
次に、枕下側部１１と１２のそれぞれゴム紐１４０及び１４１に対する位置による枕下側部１１と１２との間隔に応じた仰臥時枕高さについて説明する。
【００７０】
上述したように、頭部Ｈの回転に対し枕側部が追従回転し、頭部Ｈの回転を停止すれば枕側部の回転も停止するという性質があることと、仰臥状態は頭停止状態で枕の長手方向両側部が互いに対称であることから、図１０（Ａ）〜（Ｄ）に示すように、枕下側部１１と１２との間隔を変えて、仰臥状態を保てば（回転停止状態にすれば）、間隔に応じた横臥時枕高さを安定に保つことができる。
【００７１】
頭部Ｈの枕下側部１１、１２に対する押圧力Ｆ１、Ｆ２はそれぞれ、上述及び図１０（Ａ）〜（Ｄ）に示すように、ほぼ当接境界線ＢＬ１、ＢＬ２を通るので、この性質を用いて、横臥時枕高さの概略を図形で推定することができる。
【００７２】
図１０（Ｃ）又は（Ｄ）のように枕下側部１１と１２との突出部対向面を当接させると、枕下側部１１と１２には、相手の当接部からそれぞれ押圧力Ｆ３、Ｆ４も受け、また、これによる当接境界線ＢＬ１、ＢＬ２の回りの回転モーメントを打ち消すように、押圧力Ｆ１、Ｆ２はそれぞれ、当接境界線ＢＬ１、ＢＬ２の少し枕内側を通る。図１０（Ｄ）の場合、仰臥時高さが横臥時高さと同じになる。
【００７３】
以上のことから、本実施例１の枕１０によれば、枕自由状態での枕下側部１１と１２との間の距離を調整するだけで、枕中央部高さを、枕上部１３の圧縮時高さから横臥時高さまで連続的に調整することができるという効果を奏する。
【００７４】
図１１（Ａ）及び（Ｂ）はそれぞれ、図１０（Ｂ）及び（Ｃ）のように枕中央部高さを調整して、仰臥姿勢から横臥姿勢まで横転した場合に、図９（Ｂ）と同様にして得られる仮想枕２１、２１を点線及び２点鎖線の太線で示す。
【００７５】
図１１（Ｃ）は、図９（Ｂ）、図１１（Ａ）及び（Ｂ）中の太線の仮想枕２０〜２２を重ね書きしたものであり、枕の中央部と側部の高さの段差が大きくなるほど、枕中央部から枕側部への遷移領域の幅が広くなって、寝返りし易くなっていることが分かる。
【００７６】
本実施例１の枕１０によれば、枕下側部１１と１２との相互距離を調整するだけで、枕側部の高さを変えること無く、枕中央部高さを変えるとともに遷移領域の仮想形状を適当に自動生成できるという効果を奏する。
【００７７】
背景技術の欄で述べたように、好ましい枕側部高さ（横臥状態での枕高さ）は、ストレートネックや猫背の程度に依存しないが、枕中央部高さはこれらに依存する。仰臥姿勢では、首の筋肉や靱帯にできるだけ負荷がかからない方がこのましい。この状態は、概略的に言えば、枕中央部高さを、自然立直状態での後頭部と背部との段差に等しくする（概略調整する）ことで達成される。正確には、仰臥姿勢と自然立直姿勢とで、寝床有無による条件が異なるので、枕中央部高さをさらに微調整する必要がある。
【００７８】
本実施例１の枕１０によれば、ストレートネックや猫背の矯正の程度に応じて、１つの枕１０で、しかも枕下側部１１と１２との相互間距離を調整するだけで、枕形状を適切なものにすることが可能となる。
【００７９】
また、仰臥姿勢の方が横臥姿勢よりも寝床との接触面積が広くて体内応力が小さくなって楽であるので、仰臥姿勢で首部に無理な力が加わらないように枕中央部高さを調整すれば、睡眠時間における仰臥姿勢の時間の割合が自然と多くなって、平均体内応力が大きくなることによる血行の悪化が防止される。さらに、本実施例１の枕１０によれば、寝返りし易いので、睡眠時に体を同一状態に長時間保持することによる血行の悪化が防止される。しかも、仰臥状態で頭部Ｈが凹部に支持されて後頭部に加わる応力が小さくなるので、睡眠中の頭部血行がよくなるという効果を奏する。
【実施例２】
【００８０】
図１２（Ａ）は、本発明の実施例２の枕１０Ａの斜視図であり、図１２（Ｂ）は、図１２（Ａ）の枕１０Ａを、図示Ｚ軸の回りに１８０°回転したときの斜視図である。
【００８１】
この枕１０Ａでは、図１中の軟質発泡プラスチックシート１４から上記間隔調整手段としてのゴム紐１４０、１４１を除いたものを軟質発泡プラスチックシート１４Ａとして用い、これらゴム紐１４０、１４１の替わりに、他の間隔調整手段を用いている。この間隔調整手段では、ケース１６Ａの長手方向中央部の長さを可変に縮めることにより、ケース１６Ａ内に収容された枕下側部１１、１２間の相互距離（間隔）を制限し、この制限を可変（調整可能）にしている。
【００８２】
具体的には、図１２（Ａ）に示すように、ケース１６Ａの奥域方向（Ｙ方向）に対向する一方の面の中央部に鳩目１６０と鳩目１６１とをそれぞれ、互いにケース１６Ａの長手方向（Ｘ方向）に離間して形成し、１本の紐３０の一端部及び他端部をケース１６の内側で鳩目１６０及び１６１に通してケース１６の外部に引き出し、コードストッパー３１のノブを押下してそのロックを解除し、該ノブの孔に通し、ノブ押下を止めてロックすることにより、ケース１６Ａのこの面の長手方向中央部の長さを可変に縮めるように構成している。
【００８３】
この面と対向するケース１６の面についても同様に、図１２（Ｂ）に示すように、１本の紐３２の一端部及び他端部をケース１６の内側で鳩目１６２及び１６３に通してケース１６の外部に引き出し、コードストッパー３３のノブを押下してそのロックを解除し、該
ノブの孔に通し、ノブ押下を止めてロックすることにより、ケース１６Ａのこの面の長手方向中央部の長さを可変に縮めるように構成している。
【００８４】
鳩目１６２、１６３はそれぞれケース１６Ａ上の鳩目１６０、１６１と対向する位置に形成され、また、紐３２は紐３０と同じ長さである。
【００８５】
図１２では、ケース１６Ａからの紐３０及び３２の引き出し長さが同じに調整されるとともに、ケース１６Ａの長手方向中央部の長さが縮められていない状態を示している。
【００８６】
仰臥状態では、枕下側部１１と１２の後端面がケース１６Ａの長手方向側端面に当接して、枕下側部１１と１２の離間方向への移動が制限され、図５（Ｂ）に示す状態になる。
【００８７】
図１２の状態から、コードストッパー３１のノブを押下してロックを解除し、紐３０の先端部を引き出し、同様に、コードストッパー３３のノブを押下してロックを解除し、紐３２の先端部を引き出すと、図１３に示すように、引き出し長さに応じて、ケース１６Ａの長手方向中央部の長さが縮められる。この場合、仰臥状態では、例えば図１０（Ｂ）と同様になる。紐３０又は紐３２の先端部引き出し長さを前回よりも短くした場合には、枕上部１３Ａの中央部に後頭部を載置する際に、枕下側部１１と１２とが互いに離間方向へ移動して、紐３０又は紐３２のうちコードストッパー３１又はコードストッパー３３とケース１６Ａとの間の部分が短縮してゼロになる。
【００８８】
本実施例２の枕１０Ａによれば、ケース１６Ａを開状態にすることなく、ケース１６Ａの外側から紐３０及び３２の引き出し長さを調整するだけで、枕の仰臥時高さを調整することができるという効果を奏する。
【００８９】
図１４（Ａ）及び（Ｂ）に示すように、紐３０の引き出し長さを紐３２のそれを長くすることにより、ケース１６Ａの長さは、奥域方向前端側（−Ｙ方向）の方が後端側（Ｙ方向）より短くなる。これにより、枕下側部１１及び１２の対向方向をＹ方向側に傾斜させることができる。
【００９０】
この傾斜により、仰臥状態において、当接境界線ＢＬ１、ＢＬ２の−Ｙ方向側が頭部重心側に近づくので、図１３の場合よりも横臥姿勢への横転が、奥域方向前端側においてし易くなり、全体として、横転し易くなる。また、仰臥状態での枕高さが、−Ｙ方向側の方がＹ方向側より少し高くなるので、ユーザの姿勢によっては、図１３の場合よりも、首の負荷を低減可能である。この点は、紐３０の引き出し長さを紐３２のそれを短くした場合も同様である。
【００９１】
本実施例２の枕１０Ａによれば、紐３０と３２の引き出し長さを互いに異ならせることにより、枕の仰臥時高さを奥域方向について傾斜調整することができるという効果を奏する。
【００９２】
他の点は、実施例１と同一である。
【実施例３】
【００９３】
図１５（Ａ）は、本発明の実施例３の枕１０Ｂの斜視図であり、図１５（Ｂ）は、図１５（Ａ）の枕１０Ｂを、図示Ｚ軸の回りに１８０°回転したときの斜視図である。
【００９４】
この枕１０Ｂの間隔調整手段では、枕下側部１１Ａと１２Ａとを紐で連結し、該紐の長さを調整することにより、仰臥状態での傾斜した枕下側部１１Ａと１２Ａとの間隔を定めている。
【００９５】
具体的には、図１５（Ａ）に示すように、枕下側部１１Ａ、１２Ａの仰臥時肩側（−Ｙ方向側）の布袋側面にそれぞれ、カードリング１１６、１２６を支持片１１７、１２７を介して取着し、ケース１６Ｂのこれら側の面の中央部に鳩目１６４を形成し、１本の紐３０をカードリング１１６、１２６に通し、紐３０の両端部を鳩目１６４に通してケース１６Ｂから外部に引き出し、さらに、コードストッパー３１のノブを押下してロックを解除し、紐３０の両端部をノブの孔に通し、押下を止めて紐３０をロックすることにより、この面側の枕下側部１１Ａと１２Ａとの連結長さを調整可能に構成している。
【００９６】
枕下側部１１Ａ、１２Ａの上記側面と対向する枕下側部１１Ａ、１２Ａの面についても同様に、図１５（Ｂ）に示すように、カードリング１１８、１２８を支持片１１９、１２９を介して布袋側面に取着し、ケース１６Ｂのこれら側の面の中央部に鳩目１６５を形成し、１本の紐３２をカードリング１１８、１２８に通し、紐３２の両端部を鳩目１６５に通してケース１６Ｂから外部に引き出し、さらにこれを、ロックを解除したコードストッパー３３の孔に通して紐３２をロックすることにより、この面側の枕下側部１１Ａと１２Ａとの連結長さを調整可能に構成している。
【００９７】
図１５の状態から、コードストッパー３１のノブを押下してロックを解除し、紐３０の先端部を引き出し、同様に、コードストッパー３３のノブを押下してロックを解除し、紐３２の先端部を引き出すと、図１６に示すように、引き出し長さに応じて、枕下側部１１Ａ、１２Ａ間の距離が調整される。
【００９８】
また、紐３０の引き出し長さを紐３２のそれと異ならせば、実施例２で説明したような作用効果を奏する。
【００９９】
本実施例３の枕１０Ｂによれば、ケース１６Ｂの中央部を縮ませること無く、枕下側部１１Ａ、１２Ａ間の距離を調整することができるという効果を奏する。
【０１００】
他の点は、実施例２と同一である。
【実施例４】
【０１０１】
図１７（Ａ）は、本発明の実施例４の枕１０Ｃの斜視図であり、図１７（Ｂ）は、図１７（Ａ）の枕１０Ｃを、その上面の中心の法線の回りに１８０°回転したときの斜視図である。
【０１０２】
この枕１０Ｃの間隔調整手段では、実施例３での枕奥域方向両側の紐を１本で連結することにより、一方側のみで枕下側部１１Ａと枕下側部１２Ａとの間隔を調整している。
【０１０３】
具体的には、図１５の鳩目１６４、紐３０及びコードストッパー３１を省略し、図１７（Ａ）に示すように、１本の紐３４を、カードリング１１６、１２６に通した後、枕下側部１１Ａ、１２Ａの対向面側を通ってケース１６Ｃの底面中央部側でクロスし、図１７（Ｂ）に示すように、枕下側部１２Ａ、枕下側部１１Ａの対向面側を通り、紐３４の一端側はカードリング１２８を通り、他端側はカードリング１１８を通り、紐３４の両端部を鳩目１６５に通してケース１６Ｃから外部に引き出し、さらに、コードストッパー３３のノブを押下してそのロックを解除し、該ノブの孔に通し、ノブ押下を止めてロックすることにより、枕下側部１１Ａと１２Ａとの間隔が調整される。
【０１０４】
枕下側部１１Ａ、１２Ａ間の距離を短くする場合には、図１７の状態から、コードストッパー３３のノブを押下してロックを解除し、紐３４の先端部を引き出す。コードストッパー３３側の紐引き出し直列抵抗が、反対側のそれより小さいので、カードリング１１８
、１２８間の距離が、カードリング１１６、１２６間のそれよりも短くなる。これは次のようにして修正される。すなわち、後頭部を枕上部１３Ａの中央部に載置して仰臥状態になり、左右の手でケース１６Ｃを介しそれぞれ枕下側部１２Ａ、１１Ａを矢印３５、３６側へ押圧することにより、両距離を等しくし又は図１４のように異ならせることができる。
【０１０５】
枕下側部１１Ａ、１２Ａ間の距離を長くする場合には、コードストッパー３３のノブを押下してロックを解除し、コードストッパー３３から引き出されている紐３４の先端部を短くするように、紐３４に沿ってコードストッパー３３を移動させる。次に、後頭部を枕上部１３Ａの中央部に載置して仰臥状態になる。枕中央部高さが最小値の状態で、コードストッパー３３と鳩目１６５との間の距離がゼロでなく、図８（Ａ）又は（Ｂ）に示すような状態にしたい場合には、左右の手を、ケース１６Ｃを介しそれぞれ枕下側部１２Ａ、１１Ａの底面に当て、傾斜している枕下側部１２Ａ、１１Ａを互いに接近する方に押圧して枕下側部１２Ａ、１１Ａ間を離間させ、コードストッパー３３と鳩目１６５との間の距離をゼロにする。この際、枕１０Ｃを頭とともに少し上方に上げておく。
【０１０６】
本実施例４の枕１０Ｃによれば、コードストッパー３３から引き出された１本の紐３４の両端部長さを調整することにより、枕下側部１１Ａ、１２Ａ間の距離を調整することができるという効果を奏する。
【０１０７】
他の点は、実施例３と同一である。
【実施例５】
【０１０８】
図１８（Ａ）は、本発明の実施例５の枕１０Ｄの斜視図であり、図１８（Ｂ）は、図１８（Ａ）の枕１０Ｄを、その上面の中心の法線の回りに１８０°回転したときの斜視図である。図１９は、図１８（Ａ）の枕１０Ｄの本体の分解斜視図である。
【０１０９】
この枕１０Ｄの間隔調整手段では、１本の紐３４を枕本体の回りに周回させて枕下側部１１Ａと枕下側部１２Ａとの間隔を制限するとともに、紐３４と枕上部１３Ｂとでループを形成することにより、仰臥状態において枕上部１３Ｂの両端を枕長手方向外側に引っ張るようにしている。
【０１１０】
具体的には、図１９に示すように、軟質発泡プラスチックシート１４Ｂの布袋底面の長手方向両端部中央にそれぞれ支持紐１４３、１４４を逢着し、それぞれの先端部を折り返してリングを縫製し、これらリングにそれぞれカードリング１４５、１４６を鎖状に連結している。
【０１１１】
そして、図１８（Ａ）に示すように、１本の紐３４の一端を、カードリング１１６、１４５、１１８の順に通し、紐３４の他端を、カードリング１２６、１４６、１２８の順に通し、さらに紐３４の両端部を、ケース１６Ｃの鳩目１６５に通して外部に引き出し、コードストッパー３３のノブを押下してそのロックを解除し、該ノブの孔に通し、ノブ押下を止めてロックすることにより、枕下側部１１Ａと枕下側部１２Ａとの間隔が調整される。
【０１１２】
図１８の状態から、実施例４の場合と同様にして、枕下側部１１Ａと枕下側部１２Ａとの間隔を図２０（Ａ）、（Ｂ）に示すように変えることができる。また、図１４と同様に枕下側部１１Ａと枕下側部１２Ａの対向方向を容易に変更することができることは、以上の説明から明らかである。
【０１１３】
本実施例５の枕１０Ｄによれば、１本の紐３４の連結長さを調整することにより、枕下
側部１１Ａ、１２Ａ間の距離を調整することができるという効果を奏する。
【０１１４】
また、枕長手方向垂直面に関し対称的に枕上部１３Ｃを紐３４で枕下側部１１Ａ、１２Ａに取り付けているので、枕下側部１１Ａ、１２Ａに対し枕上部１３Ｃが位置ずれするのを防止することができるという効果を奏する。
【０１１５】
さらに、枕上部１３Ｂのカードリング１４５、１４６間が、枕下側部１１Ａ、１２Ａを互いに接近する方向に抱き込んだ紐３４で連結されてループを構成しているので、仰臥状態において枕上部１３Ｂの長手方向中央部に働く張力を、実施例２〜４の場合よりも大きくすることができ、これにより、枕上部１３Ｂから後頭部に働く垂直応力の分布をより均一化することができるという効果を奏する。
【０１１６】
他の点は、実施例４と同一である。
【実施例６】
【０１１７】
以上の実施例では、一対の自由状態の枕下側部について、対向側端部底面の高さが枕の長手方向中央部に向かうほど連続的に高くなっていている場合を説明したが、連続的では無くステップ状に高くなっていてもよく、これを本発明の実施例６として以下に説明する。
【０１１８】
図２１は、本発明の実施例６の枕（枕ケースなどは図示省略）を、人体との関係で示す概略正面図である。
【０１１９】
枕下側部１１Ｂは、仰臥状態でブロック１１４の底面が寝床Ｓに当接するとき、ブロック１１４に重ねられるシート１１５０Ｂ及び１１５１Ｂの先端も寝床Ｓに当接するように、シート１１５０Ｂ及び１１５１Ｂの枕長手方向の長さを定めている。
【０１２０】
この構成により、シート１１５０Ｂ及び１１５１Ｂの上面矩形サイズをブロック１１４のそれと同一にした場合よりも、後頭部を、枕下側部１１Ｂを介し枕上部１３Ｂで支持する面積が増加する。
【０１２１】
図２２は、枕下側部１１Ｂの分解斜視図である。カバー１１０Ｂの形状が、これに挿入されるブロック１１４、シート１１５０Ｂ及び１１５１Ｂの形状に対応して、先端部垂直面高さが図３のそれより低くなっている。
【０１２２】
図２３（Ａ）〜（Ｄ）はそれぞれ、図１０（Ａ）〜（Ｄ）に対応している。
【０１２３】
図２１及び図２３（Ａ）〜（Ｄ）のいずれの図からも明らかなように、仰臥状態で上記ステップ状変化は連続変化の場合と同じであり、横転時はステップ状変化部が寝床Ｓから離れるので、枕の動作、機能はステップ状変化に影響されないことが理解できる。
【０１２４】
同様に、図２２のブロック１１４の傾斜面１１４ｂをステップ状変化に変えても、枕の動作、機能はこれに影響されない。
【０１２５】
また、曲面１１４ｃをステップ状変化に変えた場合、横転時に床面Ｓとの当接境界線が不連続的に変化するが、一般に寝床Ｓがクッション性を有するので、段差が１０ｍｍ程度であれば、枕の機能はこれに殆ど影響されないであろうことが理解できる。従って、ブロック１１４を矩形板シートの積層で近似して構成しても、層間が殆どずれないように接着し又はカバー１１０Ｂ内に締め付けて固定すれば問題ないことが分かる。
【０１２６】
他の点は、実施例５と同一である。
【実施例７】
【０１２７】
図２４（Ａ）は、本発明の実施例７の枕本体を示す概略正面図である。
【０１２８】
この枕本体では、自由状態で枕下側部１１Ｃ、１２Ｃの対向側端部上面の高さが、枕長手方向中央部に向かうほど連続的に低くなっている。この例では、該上面が対向側に傾斜した傾斜面４０、４１となっている。
【０１２９】
図２４（Ｂ）は、この枕本体を、仰臥姿勢の人体とともに示す概略正面図である。図２４（Ｂ）中の２点鎖線は、同じ仰臥姿勢での図５（Ｂ）中の枕本体を比較のために示す。
【０１３０】
この図から明らかなように、仰臥姿勢での枕中央部の状態は実施例５の場合と同じである。一方、枕下側部１１Ｃ、１２Ｃの寝床Ｓに対する傾斜は、実施例５の場合よりも小さくなる。ただし、横転時の上記持ち上げ動作が生ずるのはこの傾斜角が０になるまでの期間であり、また、上述の粒状物のリセットが実施例５の場合よりも弱くなる。
【０１３１】
図２５（Ａ）〜（Ｃ）は図２４の枕を横転中の人体とともに示す概略正面図である。図２５（Ａ）中の２点鎖線は、同じ姿勢での実施例５の枕本体を比較のために示す。図２５（Ａ）の横転初期及び図２５（Ｃ）の横転完了時の状態はそれぞれ、傾斜面４０、４１の部分を除いて図６（Ａ）及び（Ｃ）と同一である。
【０１３２】
図２６（Ａ）〜（Ｃ）は、図１０と同様にして枕中央部高さを変えた場合を示す。図中の２点鎖線は、図１０との比較を分かりやすくするためのものである。図１０の場合よりも枕中央部の最大高さが低くなるが、通常の仰臥姿勢としては充分である。
【０１３３】
図２７は、枕下側部１１Ｃの分解斜視図である。
【０１３４】
ブロック１１４０は、図３のブロック１１４の傾斜面１１４ｂの斜め上下方向幅を短くしてブロック１１４の厚みをΔＨだけ低くしたものである。このブロック１１４０と、高さΔＨの対向面傾斜シート１１４１との間に、横臥姿勢での適切な枕高さに応じて矩形のシート１１５０Ｃ又は／及びシート１１５１Ｃを介在させ又はさせない。すなわち、ブロック１１４０と対向面傾斜シート１１４１とが必須のペアになっている。
【０１３５】
対向面傾斜シート１１４１は、矩形シートの前端部上面を斜めに切除した形状である。カバー１１０Ｃは、この傾斜面４０に対応した傾斜面４１を有する。また、カバー１１０Ｃにはさらに、仕切り布１１２１の上方に、仕切り布１１２２の両側端部がカバー１１０Ｃ内面に逢着されて、対向面傾斜シート１１４１用の布製収容棚が形成されている。
【０１３６】
他の点は、実施例５と同一である。
【実施例８】
【０１３７】
図２８（Ａ）は、本発明の実施例８の枕１０Ｅの斜視図であり、図２８（Ｂ）は、図２８（Ａ）の枕１０Ｅを、その上面の中心の法線の回りに１８０°回転したときの斜視図である。
【０１３８】
この枕１０Ｅは、枕上部１３Ｃに特徴があり、枕上部１３Ｃの粒状物シート１５Ａは、図１のセグメント１５３、１５４及び１５５のそれぞれに、枕長手方向に平行な仕切りを１つ形成して、それぞれセグメント１５３０、１５３１と、セグメント１５４０、１５４１とセグメント１５５０、１５５１とに２分割している。これにより、寝返り回数増加に
ともなって粒状物が枕奥域方向に偏在する量を低減している。
【０１３９】
図２９（Ａ）は、枕上部１３Ｃの軟質発泡プラスチックシート１４Ｃの概略縦断面図である。
【０１４０】
軟質発泡プラスチックシート１４Ｃは、その袋体１４７内が仕切り布１４７０、１４７１で長手方向に関し３分割されている。これに対応して、軟質発泡プラスチックシート本体、例えば実施例１で述べたポリウレタンシートが、サブシート１４８０、１４８１及び１４８２に３分割されて、それぞれが前記仕切りで形成されたサブ袋内に収容されている。中央部のサブ袋には、例えばその側面に不図示の線ファスナーが取り付けられて、サブシート１４８２が挿抜自在となっている。
【０１４１】
図２９（Ｂ）は、図２９（Ａ）の状態からサブシート１４８２を取り出した状態の、軟質発泡プラスチックシート１４Ｃの概略縦断面図である。図２９（Ｃ）は、図２９（Ｂ）の軟質発泡プラスチックシート１４Ｃを用いた枕の仰臥状態での概略正面図である。
【０１４２】
仕切り布１４７０、１４７１は枕下側部１１Ｃと枕下側部１２Ｃとの間に位置していて、枕下側部１１Ｃ、１２Ｃの対向側先端部がそれぞれサブシート１４８０、１４８１及び図１９の粒状物シート１５Ｂを介して頭部Ｈを支持している。
【０１４３】
粒状物シート１５Ａのセグメント１５６を除く各サブ袋内粒状物は、サブ袋内で高さを均一化した状態で１０ｍｍ程度であるので、頭部Ｈの最下点は粒状物が殆ど排除され、その部分の高さは袋体の厚み程度であり、仰臥状態での枕高さを殆どゼロにすることができる。
【０１４４】
姿勢が矯正されて正しくなった場合、壁に背中を当てた自然な立ち姿勢において顎を少し引くと、後頭部、肩甲骨、尻及び足のかかとが壁に付く。この状態では、頭の重心が体軸上に有り、首の筋肉を殆ど使わずに殆ど骨のみで頭を支えることができる。アフリカの少女は、このような姿勢で、２０〜３０ｋｇの水瓶を頭に乗せて運ぶと言われている。この状態を仰臥姿勢に対応させれば、仰臥姿勢での枕高さは殆どゼロになる。
【０１４５】
本実施例の枕１０Ｅは、このような人又は枕を使わずに仰臥姿勢で寝床上に寝ている人に、好適である。
【０１４６】
サブシート１４８２を除いた場合には、枕下側部１１Ｃ、１２Ｃの対向側先端部がそれぞれサブシート１４８０、１４８１より枕中央部側に位置するのを避けるため、図２９（Ｃ）の状態から、枕中央部高さを調整しない。
【０１４７】
サブシート１４８２を元に戻した場合には、上述のように、コードストッパー３３からの紐３４の引き出し長さを調整することにより、ストレートネックや猫背の人でも、矯正の程度に応じて、１つの枕１０Ｅで枕形状を適切なものにすることが可能となる。
【０１４８】
なお、図２９（Ｄ）に示すように、軟質発泡プラスチックシート１４Ｄの中央部厚み変化をより緩やかにするため、軟質発泡プラスチックシート本体１４８３の中央部を切除して凹部を形成し、切除されたサブシート１４８４をこの凹部に嵌合させておき、サブシート１４８４を挿抜自在にした構成であってもよい。
【０１４９】
以上において、本発明の好適な実施例を説明したが、本発明には他にも種々の変形例が含まれ、上記複数の実施例で述べた構成要素の他の組み合わせ、各構成要素の機能を実現する他の構成を用いたもの、当業者であればこれらの構成又は機能から想到するであろう
他の構成も、本発明に含まれる。
【０１５０】
例えば、間隔制限手段としての間隔調整手段は、両枕下側部の相互間隔を大、中、小などの標準値に制限して固定したものであってもよい。また、枕下側部を、ビニール袋に空気を入れて構成し、空気量でその高さを調整したり、枕下側部を中空のプラスチックや発泡ゴムなどで構成してもよい。また、枕上部１３は、粒状物シート１５を省略して軟質発泡プラスチックシート１４のみで構成してもよい。この場合、枕上部１３はビニール袋又はゴム袋に空気又は水を入れたエアーシート又は水枕シートであってもよい。軟質発泡プラスチックシート１４は、独立発泡体の梱包用発泡ポリエチレンシートの上に、ポリウレタンフォームシートを重ねたものを、布袋に入れた構成であってもよい。粒状物は、そば殻や軟質合成樹脂製の微小パイプなどであってもよい。また、図２６の対向面傾斜シート１１４１を形成する際に得られた前部傾斜切除部を、着脱自在に傾斜面４１に重ね合わせて使用可能にすることで、ユーザの好みに応じて実施例５又は７の枕を選択的に構成するようにしてもよい。さらに、コードストッパー３１、３３を用いずに紐３０、３２、３４の先端部に結び目をつけてこれが鳩目で係止されるようにしてもよい。
【符号の説明】
【０１５１】
１０、１０Ａ〜１０Ｅ  枕
１１、１１Ａ〜１１Ｃ、１１Ｂ０、１１Ｂ１、１２、１２Ａ〜１２Ｃ  枕下側部
１１０、１１０Ａ〜１１０Ｃ  カバー
１１１  線ファスナー
１１２０〜１１２２、１４７０、１４７１  仕切り布
１１４、１１４Ｂ、１１４０  ブロック
１１４１  対向面傾斜シート
１１４ｂ、１１４ｂｂ、４０、４１  傾斜面
１１４ｃ  曲面
１１５０、１１５１、１１５０Ｂ、１１５１Ｂ、１１５０Ｃ、１１５１Ｃ  シート
１１６、１１８、１２６、１２８、１４５、１４６、１５８  カードリング
１１７、１１９、１２７、１２９、１４２、１５７  支持片
１３、１３Ａ〜１３Ｃ  枕上部
１４、１４Ａ〜１４Ｃ、１４Ｃ０、１４Ｃ１  軟質発泡プラスチックシート
１４０、１４１  ゴム紐
１４３、１４４  支持紐
１４７  袋体
１４８  ベースシート
１４９０〜１４９３  サブシート
１５、１５Ａ  粒状物シート
１５０、１５１、１５２  仕切り
１５３〜１５６、１５３０、１５３１、１５４０、１５４１、１５５０、１５５１  セグメント
１６、１６Ａ〜１６Ｃ  ケース
１６０〜１６５  鳩目
２０〜２２  仮想枕
３０、３２、３４  紐
３１、３３  コードストッパー
【図１】
2015134146.tif 000003
【図２】
2015134146.tif 000004
【図３】
2015134146.tif 000005
【図４】
2015134146.tif 000006
【図５】
2015134146.tif 000007
【図６】
2015134146.tif 000008
【図７】
2015134146.tif 000009
【図８】
2015134146.tif 000010
【図９】
2015134146.tif 000011
【図１０】
2015134146.tif 000012
【図１１】
2015134146.tif 000013
【図１２】
2015134146.tif 000014
【図１３】
2015134146.tif 000015
【図１４】
2015134146.tif 000016
【図１５】
2015134146.tif 000017
【図１６】
2015134146.tif 000018
【図１７】
2015134146.tif 000019
【図１８】
2015134146.tif 000020
【図１９】
2015134146.tif 000021
【図２０】
2015134146.tif 000022
【図２１】
2015134146.tif 000023
【図２２】
2015134146.tif 000024
【図２３】
2015134146.tif 000025
【図２４】
2015134146.tif 000026
【図２５】
2015134146.tif 000027
【図２６】
2015134146.tif 000028
【図２７】
2015134146.tif 000029
【図２８】
2015134146.tif 000030
【図２９】
2015134146.tif 000031
【手続補正書】
【提出日】平成26年7月8日(2014.7.8)
【手続補正１】
【補正対象書類名】特許請求の範囲
【補正対象項目名】請求項４
【補正方法】変更
【補正の内容】
【請求項４】
該間隔制限手段は、該第１の枕下側部と該第２の枕下側部とを連結する紐又は面ファスナーを有することを特徴とする請求項\u３に\u記載の枕。
【手続補正２】
【補正対象書類名】特許請求の範囲
【補正対象項目名】請求項５
【補正方法】変更
【補正の内容】
【請求項５】
\u該\u間隔制限手段は\u、
\u該\u第１及び第２の枕下側部にそれぞれ取り付けられた第１及び第２のリングと、
コードストッパーと、
該紐と、
を有し、該紐は、該第１のリング及び該第２のリングに通され両端部\uが該\uコードストッパーに通され、該コードストッパーから出た該両端部の長さを調節することにより、該間隔調整が行われることを特徴とする請求項４に記載の枕。
【手続補正３】
【補正対象書類名】明細書
【補正対象項目名】００１７
【補正方法】変更
【補正の内容】
【００１７】
本発明による枕の第４態様では、第\u３態様に\uおいて、該間隔制限手段は、該第１の枕下側部と該第２の枕下側部とを連結する紐又は面ファスナーを有する。
【手続補正４】
【補正対象書類名】明細書
【補正対象項目名】００１８
【補正方法】変更
【補正の内容】
【００１８】
本発明による枕の第５態様では、第４態様において\u、該\u間隔制限手段は\u、該\u第１及び第２の枕下側部にそれぞれ取り付けられた第１及び第２のリングと、コードストッパーと、該紐とを有する。
【手続補正５】
【補正対象書類名】明細書
【補正対象項目名】００１９
【補正方法】変更
【補正の内容】
【００１９】
該紐は、該第１のリング及び該第２のリングに通され両端部\uが該\uコードストッパーに通され、該コードストッパーから出た該両端部の長さを調節することにより、該間隔調整が行われる。
【手続補正６】
【補正対象書類名】明細書
【補正対象項目名】００２２
【補正方法】変更
【補正の内容】
【００２２】
本発明による枕の第８態様では、第１乃至３態様のいずれか１つにおいて、該間隔制限手段は、該第１及び第２の枕下側部のそれぞれを該枕上部に取り付ける紐又はファスナーを有する。該紐は、ゴム紐\uであ\uってもよい。
【手続補正７】
【補正対象書類名】明細書
【補正対象項目名】００２９
【補正方法】変更
【補正の内容】
【００２９】
上記第５態様の構成によれば、\uコードストッパーから引き出された紐の長さを\u調整するという容易な操作で、仰臥状態での枕中央部高さを調整することができるという効果を奏する。
【手続補正８】
【補正対象書類名】明細書
【補正対象項目名】０１５０
【補正方法】変更
【補正の内容】
【０１５０】
例えば、間隔制限手段としての間隔調整手段は、両枕下側部の相互間隔を大、中、小などの標準値に制限して固定したものであってもよい。また、枕下側部を、ビニール袋に空気を入れて構成し、空気量でその高さを調整したり、枕下側部を中空のプラスチックや発泡ゴムなどで構成してもよい。また、枕上部１３は、粒状物シート１５を省略して軟質発泡プラスチックシート１４のみで構成してもよい\u。\u枕上部１３はビニール袋又はゴム袋に空気又は水を入れたエアーシート又は水枕シートであってもよい。軟質発泡プラスチックシート１４は、独立発泡体の梱包用発泡ポリエチレンシートの上に、ポリウレタンフォームシートを重ねたものを、布袋に入れた構成であってもよい。粒状物は、そば殻や軟質合成樹脂製の微小パイプなどであってもよい。また、図２６の対向面傾斜シート１１４１を形成する際に得られた前部傾斜切除部を、着脱自在に傾斜面４１に重ね合わせて使用可能にすることで、ユーザの好みに応じて実施例５又は７の枕を選択的に構成するようにしてもよい。さらに、コードストッパー３１、３３を用いずに紐３０、３２、３４の先端部に結び目をつけてこれが鳩目で係止されるようにしてもよい。
【手続補正書】
【提出日】平成26年7月8日(2014.7.8)
【手続補正１】
【補正対象書類名】特許請求の範囲
【補正対象項目名】請求項４
【補正方法】変更
【補正の内容】
【請求項４】
該間隔制限手段は、該第１の枕下側部と該第２の枕下側部とを連結する紐又は面ファスナーを有することを特徴とする請求項３に記載の枕。
【手続補正２】
【補正対象書類名】特許請求の範囲
【補正対象項目名】請求項５
【補正方法】変更
【補正の内容】
【請求項５】
該間隔制限手段は、
該第１及び第２の枕下側部にそれぞれ取り付けられた第１及び第２のリングと、
コードストッパーと、
該紐と、
を有し、該紐は、該第１のリング及び該第２のリングに通され両端部が該コードストッパーに通され、該コードストッパーから出た該両端部の長さを調節することにより、該間隔調整が行われることを特徴とする請求項４に記載の枕。
【手続補正３】
【補正対象書類名】明細書
【補正対象項目名】００１７
【補正方法】変更
【補正の内容】
【００１７】
本発明による枕の第４態様では、第３態様において、該間隔制限手段は、該第１の枕下側部と該第２の枕下側部とを連結する紐又は面ファスナーを有する。
【手続補正４】
【補正対象書類名】明細書
【補正対象項目名】００１８
【補正方法】変更
【補正の内容】
【００１８】
本発明による枕の第５態様では、第４態様において、該間隔制限手段は、該第１及び第２の枕下側部にそれぞれ取り付けられた第１及び第２のリングと、コードストッパーと、該紐とを有する。
【手続補正５】
【補正対象書類名】明細書
【補正対象項目名】００１９
【補正方法】変更
【補正の内容】
【００１９】
該紐は、該第１のリング及び該第２のリングに通され両端部が該コードストッパーに通され、該コードストッパーから出た該両端部の長さを調節することにより、該間隔調整が行われる。
【手続補正６】
【補正対象書類名】明細書
【補正対象項目名】００２２
【補正方法】変更
【補正の内容】
【００２２】
本発明による枕の第８態様では、第１乃至３態様のいずれか１つにおいて、該間隔制限手段は、該第１及び第２の枕下側部のそれぞれを該枕上部に取り付ける紐又はファスナーを有する。該紐は、ゴム紐であってもよい。
【手続補正７】
【補正対象書類名】明細書
【補正対象項目名】００２９
【補正方法】変更
【補正の内容】
【００２９】
上記第５態様の構成によれば、コードストッパーから引き出された紐の長さを調整するという容易な操作で、仰臥状態での枕中央部高さを調整することができるという効果を奏する。
【手続補正８】
【補正対象書類名】明細書
【補正対象項目名】０１５０
【補正方法】変更
【補正の内容】
【０１５０】
例えば、間隔制限手段としての間隔調整手段は、両枕下側部の相互間隔を大、中、小などの標準値に制限して固定したものであってもよい。また、枕下側部を、ビニール袋に空気を入れて構成し、空気量でその高さを調整したり、枕下側部を中空のプラスチックや発泡ゴムなどで構成してもよい。また、枕上部１３は、粒状物シート１５を省略して軟質発泡プラスチックシート１４のみで構成してもよい。枕上部１３はビニール袋又はゴム袋に空気又は水を入れたエアーシート又は水枕シートであってもよい。軟質発泡プラスチックシート１４は、独立発泡体の梱包用発泡ポリエチレンシートの上に、ポリウレタンフォームシートを重ねたものを、布袋に入れた構成であってもよい。粒状物は、そば殻や軟質合成樹脂製の微小パイプなどであってもよい。また、図２６の対向面傾斜シート１１４１を形成する際に得られた前部傾斜切除部を、着脱自在に傾斜面４１に重ね合わせて使用可能にすることで、ユーザの好みに応じて実施例５又は７の枕を選択的に構成するようにしてもよい。さらに、コードストッパー３１、３３を用いずに紐３０、３２、３４の先端部に結び目をつけてこれが鳩目で係止されるようにしてもよい。
【手続補正書】
【提出日】平成26年8月2日(2014.8.2)
【手続補正１】
【補正対象書類名】特許請求の範囲
【補正対象項目名】請求項１
【補正方法】変更
【補正の内容】
【請求項１】
第１及び第２の枕下側部と、
該第１及び第２の枕下側部の上に横たわって配置される枕上部と、
該第１の枕下側部と該第２の枕下側部との間隔を制限する間隔制限手段と、
を有し、該第１及び第２の枕下側部はそれぞれ、自由状態で対向側端部底面の高さが枕の長手方向中央部に向かうほど連続的又はステップ状に高くなっていて、該中央部に後頭部を載置した仰臥状態で該第１及び第２の枕下側部の上面が対向側に傾斜していることを特徴とする枕。
【手続補正２】
【補正対象書類名】特許請求の範囲
【補正対象項目名】請求項９
【補正方法】変更
【補正の内容】
【請求項９】
該枕上部は、軟質発泡プラスチックシートを有することを特徴とする請求項１乃至８のいずれか１つに記載の枕。
【手続補正３】
【補正対象書類名】明細書
【補正対象項目名】００１３
【補正方法】変更
【補正の内容】
【００１３】
本発明の第１態様では、第１及び第２の枕下側部と、該第１及び第２の枕下側部の上に横たわって配置される枕上部と、該第１の枕下側部と該第２の枕下側部との間隔を制限する間隔制限手段とを有している。
【手続補正４】
【補正対象書類名】明細書
【補正対象項目名】００２３
【補正方法】変更
【補正の内容】
【００２３】
本発明による枕の第９態様では、第１乃至８態様のいずれか１つにおいて、該枕上部は、軟質発泡プラスチックシートを有する。
【手続補正５】
【補正対象書類名】明細書
【補正対象項目名】００３３
【補正方法】削除
【補正の内容】
【手続補正書】
【提出日】平成26年12月10日(2014.12.10)
【手続補正１】
【補正対象書類名】特許請求の範囲
【補正対象項目名】全文
【補正方法】変更
【補正の内容】
【特許請求の範囲】
【請求項１】
第１及び第２の枕下側部と、
該第１及び第２の枕下側部の上に横たわって配置される枕上部と、
該第１の枕下側部と該第２の枕下側部との間隔を調整自在に制限する間隔制限手段と、
を有し、該第１及び第２の枕下側部はそれぞれ、自由状態で対向側端部底面の高さが枕の長手方向中央部に向かうほど連続的又はステップ状に高くなっていて、該中央部に後頭部を載置した仰臥状態で該第１及び第２の枕下側部の上面が対向側に傾斜しており、
該間隔の調整により、該後頭部の高さが調整されることを特徴とする枕。
【請求項２】
該第１及び第２の枕下側部はそれぞれさらに、自由状態で対向側端部上面の高さが枕の長手方向中央部に向かうほど連続的又はステップ状に低くなっていることを特徴とする請求項１に記載の枕。
【請求項３】
該間隔制限手段は、該第１の枕下側部と該第２の枕下側部とを連結する紐又は面ファスナーを有することを特徴とする請求項１又は２に記載の枕。
【請求項４】
該間隔制限手段は、
該第１及び第２の枕下側部にそれぞれ取り付けられた第１及び第２のリングと、
コードストッパーと、
該紐と、
を有し、該紐は、該第１のリング及び該第２のリングに通され両端部が該コードストッパーに通され、該コードストッパーから出た該両端部の長さを調節することにより、該間隔調整が行われることを特徴とする請求項３に記載の枕。
【請求項５】
該第１及び第２の枕下側部と該枕上部とが収容された布製枕ケースをさらに有し、
該間隔制限手段は、該枕ケースの長手方向の長さを短縮する手段であることを特徴とする請求項１又は２に記載の枕。
【請求項６】
該枕ケースの長手方向の長さを短縮する手段は、該枕ケースの長手方向の互いに異なる位置の間を結ぶ紐又は面ファスナーを、該枕ケースの長手方向の対向側面のそれぞれに備えていることを特徴とする請求項５に記載の枕。
【請求項７】
該間隔制限手段は、該第１及び第２の枕下側部のそれぞれを該枕上部に取り付ける紐又はファスナーを有することを特徴とする請求項１又は２に記載の枕。
【請求項８】
該枕上部は、軟質発泡プラスチックシートを有することを特徴とする請求項１乃至７のいずれか１つに記載の枕。
【手続補正書】
【提出日】平成26年12月10日(2014.12.10)
【手続補正１】
【補正対象書類名】特許請求の範囲
【補正対象項目名】全文
【補正方法】変更
【補正の内容】
【特許請求の範囲】
【請求項１】
第１及び第２の枕下側部と、
該第１及び第２の枕下側部の上に横たわって配置される枕上部と、
該第１の枕下側部と該第２の枕下側部との間隔を調整自在に制限する間隔制限手段と、
を有し、該第１及び第２の枕下側部はそれぞれ、自由状態で対向側端部底面の高さが枕の長手方向中央部に向かうほど連続的又はステップ状に高くなっていて、該中央部に後頭部を載置した仰臥状態で該第１及び第２の枕下側部の上面が対向側に傾斜しており、
該間隔の調整により、該後頭部の高さ位置が調整されることを特徴とする枕。
【請求項２】
該第１及び第２の枕下側部はそれぞれさらに、自由状態で対向側端部上面の高さが枕の長手方向中央部に向かうほど連続的又はステップ状に低くなっていることを特徴とする請求項１に記載の枕。
【請求項３】
該間隔制限手段は、該第１の枕下側部と該第２の枕下側部とを連結する紐又は面ファスナーを有することを特徴とする請求項１又は２に記載の枕。
【請求項４】
該間隔制限手段は、
該第１及び第２の枕下側部にそれぞれ取り付けられた第１及び第２のリングと、
コードストッパーと、
該紐と、
を有し、該紐は、該第１のリング及び該第２のリングに通され両端部が該コードストッパーに通され、該コードストッパーから出た該両端部の長さを調節することにより、該間隔調整が行われることを特徴とする請求項３に記載の枕。
【請求項５】
該第１及び第２の枕下側部と該枕上部とが収容された布製枕ケースをさらに有し、
該間隔制限手段は、該枕ケースの長手方向の長さを短縮する手段であることを特徴とする請求項１又は２に記載の枕。
【請求項６】
該枕ケースの長手方向の長さを短縮する手段は、該枕ケースの長手方向の互いに異なる位置の間を結ぶ紐又は面ファスナーを、該枕ケースの長手方向の対向側面のそれぞれに備えていることを特徴とする請求項５に記載の枕。
【請求項７】
該間隔制限手段は、該第１及び第２の枕下側部のそれぞれを該枕上部に取り付ける紐又はファスナーを有することを特徴とする請求項１又は２に記載の枕。
【請求項８】
該枕上部は、軟質発泡プラスチックシートを有することを特徴とする請求項１乃至７のいずれか１つに記載の枕。
【手続補正２】
【補正対象書類名】明細書
【補正対象項目名】００１２
【補正方法】変更
【補正の内容】
【００１２】
本発明の他の目的はさらに、アクチュエータを用いたり詰め物量を加減することなく、枕両側部高さを一定にした状態で簡単な操作により、連続的に仰臥状態での後頭部高さ位置を調整可能にする枕を提供することにある。
【手続補正３】
【補正対象書類名】明細書
【補正対象項目名】００１６
【補正方法】変更
【補正の内容】
【００１６】
本発明による枕の第３態様では、第１又は２態様において、該間隔制限手段は、該間隔を調整自在に制限する間隔調整手段であり、該間隔の調整により、該後頭部の高さ位置が調整される。
【手続補正４】
【補正対象書類名】明細書
【補正対象項目名】００２７
【補正方法】変更
【補正の内容】
【００２７】
上記第３態様の構成によれば、一対の枕下側部の間隔が調整自在であることと、該一対の枕下側部の上に枕上部が横たわって配置されていることと、上記底面形状と、上記追従回転により頭回転停止状態では該一対の枕下側部も停止していることとから、枕側部高さと独立に、該間隔の調整の程度に応じて、仰臥状態での後頭部高さ位置を連続的に調整することができるという効果を奏する。
【手続補正５】
【補正対象書類名】明細書
【補正対象項目名】００２８
【補正方法】変更
【補正の内容】
【００２８】
上記第４態様の構成によれば、該一対の枕下側部間を紐又は面ファスナーで連結しているので、該紐又は面ファスナーの連結長さを調整することにより、仰臥状態での後頭部高さ位置（枕中央部高さ）を調整することができるという効果を奏する。
【手続補正６】
【補正対象書類名】明細書
【補正対象項目名】００３４
【補正方法】変更
【補正の内容】
【００３４】
上記第１０態様の構成によれば、該軟質発泡プラスチックシートの中央部のサブシートが挿抜自在であるので、仰臥状態での後頭部高さ位置をより低く調整できるという効果を奏する。